(57)【要約】【課題】  マニキュア容器の蓋部にグリター粉を受け入れる空間を併設し、爪にマニキュアを塗った後、グリター粉を撒いて爪を装飾できるようにする。【解決手段】  マニキュア液ｍを受け入れる容器本体１０と、容器本体１０の入口部に結合される蓋２０とからなり、蓋２０の下段部に備えられる容器本体１０の内部に挿入される筆の柄２２と、当該筆の柄２２の末端部に備えられるマニキュア液塗布用の筆２４とを含むマニキュア容器であって、蓋２０の上部にはグリター粉ｆを受け入れる補助室３０を有し、当該補助室３０の一側にはグリター粉ｆの排出のための多数の排出口３１と当該排出口３１を開閉する補助キャップ３２とを備える構成となっている。【選択図】      図１
0003109098.tif 000002
【実用新案登録請求の範囲】
【請求項１】
マニキュア液を受け入れる容器本体と、前記容器本体の入口部に結合される蓋とからなり、前記蓋の下段部に備えられる前記容器本体の内部に挿入される筆の柄と、当該筆の柄の末端部に備えられるマニキュア液を塗る筆とを含むマニキュア容器であって、
前記蓋の上部にはグリター粉を受け入れる補助室を有し、当該補助室の一側にはグリター粉の排出のための多数の排出口と、当該排出口を開閉する補助キャップとを備えることを特徴とするグリター粉付きマニキュア容器。
【請求項２】
前記補助キャップの内側面には、前記排出口への結合時、各排出ロを塞いで遮断する多数の突起を備える請求項１記載のグリター粉付きマニキュア容器。
【請求項３】
前記補助キャップと蓋との間にモールデイングにより繋がれ、補助キャップの閉方向に弾性力を持つように形成された、前記蓋の近接部に折り曲げ点を有する弾性連結部と、
前記弾性連結部の両側で補助キャップと蓋との間にモールデイングにより繋がれ、前記弾性連結部より短い長さを有し、当該弾性連結部と前方又は後方への弾性方向を異にする開閉臨界点を有するように形成された連結部と、を備える請求項１又は２記載のグリター粉付きマニキュア容器。
【考案の詳細な説明】
【技術分野】
【０００１】
本考案は、マニキュア容器に関し、より詳しくは、マニキュア容器の蓋部にグリター粉（glittering  powder）を受け入れる空間を併設することにより、爪にマニキュアを塗った後に、グリター粉を撒くことによって爪を装飾できるようにしたグリター粉付きマニキュア容器に閑するものである。
【背景技術】
【０００２】
マニキュアは、女性の爪を美しく作り上げるための一種の爪の化粧品であり、使用者が趣向により選択して使用できるように様々な色相のものが存在する。
ここで、マニキュアは粘着性の液体からなるものであるから、容器に保管されるようになっており、そのようなマニキュア容器は、一般に、容器本体と、入口が狭く形成された容器本体の上部に螺合して結合される蓋とを備え、蓋の下段部に筆の柄が設けられ、その柄の末端にマニキュアを爪に塗るための筆を結合させた構造を有している。
【０００３】
このようなマニキュア容器の構造により、マニキュア塗布用の筆は、蓋が容器本体と結合された状態では、容器本体の内部に挿入されてマニキュア液の内に浸される状態となる。
従って、爪にマニキュアを塗る時には、蓋を容器本体から分離させた後、マニキュア液が付いている筆を爪に擦り付けることで、爪を薄くマニキュアで覆い、その後、乾燥させることで爪の面にマニキュアが薄くコーティングされ、爪は装飾されることになる。
【０００４】
ところで、最近は、マニキュアを使った爪の装飾のみならず、薄いフィルムの表面を様々な色相で覆うとともに、その上にグリター粉（glittering  powder）を印刷した人造爪の使用が増えている。
【考案の開示】
【考案が解決しようとする課題】
【０００５】
しかしながら、このような人造爪は、爪へ付着するために接着剤を使わなければならず、その作業が煩わしく、作業時間も長くなり、また爪の外部に人造爪を付着することにより異物感を感ずるという短所があった。
また、付着された人造爪は、再使用できないため、使用後はそのまま捨てることになり、資源の浪費を招くという問題があった。
【０００６】
本考案は、上記のような従来の問題を解消するために案出されたものであり、その目的は、マニキュア容器本体に別途空間（室）を作り、そこにグリター粉を受け入れることにより、爪にマニキュアを塗ってから直ちにグリター粉を撒くことで装飾効果を得ることができ、これによって、人造爪のような付着による異物感等がなく、迅速・簡便に爪の装飾効果を得ることができるマニキュア容器を提供することにある。
【課題を解決するための手段】
【０００７】
上記の目的を達成するために、本考案は、マニキュア液を受け入れる容器本体と、容器本体の入口部に結合される蓋とからなり、蓋の下段部に備えられる容器本体の内部に挿入される筆の柄と、筆の柄の末端部に備えられるマニキュア液を塗る筆とを含むマニキュア容器であって、蓋の上部にはグリター粉を受け入れる補助室を有し、補助室の一側にはグリター粉の排出のための多数の排出口と当該排出口を開閉する補助キャップとを備える構成となっている。
【考案の効果】
【０００８】
以上のように、本考案によれば、マニキュア容器の蓋にグリター粉を受け入れる補助室が併設されており、マニキュアを塗った直後に、マニキュア液が濡れている状態で補助キャップを開けてグリター粉を爪のマニキュア液に撒くことができる。
グリター粉は、マニキュア液が乾いた後、爪の表面に薄くコーティングされたマニキュアと一体となり、人造爪のような装飾効果を得ることができる。
また、人造爪の付け加えにより感ずる異物感もなく、迅速・簡便に爪を装飾することができる。
【考案を実施するための最良の形態】
【０００９】
以下、本考案にグリター粉付きマニキュア容器の好ましい実施形態について、図面を参照しつつ詳細に説明する。
図１は、本考案に基づいたマニキュア容器の構造を示す断面図であり、図２は、本考案のマニキュア容器の補助蓋の閉鎖状態における断面図である。
これらの図面に示すように、本考案は、内部にマニキュア液ｍを受け入れるマニキュア容器本体１０と、この容器本体１０の入口部に螺合して取り付けられて、容器本体１０の入口部を開閉可能にする蓋２０とからなっている。
【００１０】
蓋２０の下段部には、容器本体１０の内に挿入される筆の柄２２が設けられ、この筆の柄２２の末端部には、容器本体１０の内のマニキュア液ｍを爪に塗るための筆２４が備えられている。
また、蓋２０の上部には、グリター粉ｆを受け入れる補助室３０が形成され、この補助室３０の上部にはグリター粉ｆの排出のための排出口３１が設けられている。この排出口３１は、グリター粉ｆが少しずつ排出できるように、多数の小さい穴で構成されている。
さらに、補助室３０の上部には、排出口３１を開閉する補助キャップ３２が備えられている。この補助キャップ３２の内側面には、キャップを閉じた際に、補助室３０の排出ロ３１を塞いで遮断させる突起３３が多数設けられている。
【００１１】
蓋２０と補助キャップ３２とは、モールデイングによる弾性連結部３４及びその両側の連結部３６を介して一体的に繋がれている。
弾性連結部３４は、補助キャップ３２を閉じる方向に弾性力を持つように湾曲形成された構造を有し、蓋２０の近接部に折曲げ部３５が設けられ、この折曲げ部３５により前方又は後方に折り曲げられるようになる。
また、連結部３６は、弾性連結部３４より短い長さを有し、中央部に折曲げ部３７を有している。
【００１２】
このような構造により、連結部３６がキャップを開く方向に完全に展開・伸張した状態で、弾性連結部３４の弾性は最高点に至り、その最高点を基準にして前方又は後方に弾性連結部３４が展開又は折畳みされるようになる。
すなわち、折り畳まれた連結部３６が完全に展開・伸張する状態を臨界点にして、その臨界点を越えてキャップが開方向に開かれると、補助キャップ３２は完全に開放され弾性連結部３４の弾性力により開放状態が保持される。
一方、連結部３６の臨界点を越えてキャップが閉方向に曲げられるようになると、弾性連結部３４の弾性力により補助キャップ３２はキャップ閉方向に回動してほぼ閉状態が維持される。この状態で更に強制的に力を加えてキャップを入口部へ押すと、補助キャップ３２は蓋２０の上部に結合され、キャップ内面の突起３３が各排出口３１を遮蔽し、補助室３０のグリター粉ｆは完全に保管されるようになる。
【００１３】
以上のような構成のマニキュア容器を使用する場合には、蓋２０を開け容器本体１０内のマニキュア液ｍを筆につけて爪に薄く塗った状態で補助キャップ３２を開け、排出口３１を爪の上に位置合わせして粉を払い落とすようにすると、補助室３０の内のグリター粉ｆが排出口３１を通じて外部に排出され、爪に撒かれるようになる。
その後、マニキュア液ｍの揮発成分が飛散されて乾燥すると、爪にはマニキュアとともにグリター粉がコーティングされて好みの装飾効果を得ることができる。
【００１４】
以上、本考案のグリター粉付きマニキュア容器について、好ましい実施形態を示して説明したが、本考案に係るグリター粉付きマニキュア容器は、上述した実施形態にのみ限定されるものではなく、本考案の範囲で種々の変更実施が可能であることは言うまでもない。
【図面の簡単な説明】
【００１５】
【図１】本考案の一実施形態に係るマニキュア容器の構造を示す断面図である。
【図２】図１に示す本考案のマニキュア容器の補助蓋の閉鎖状態における断面図である。
【符号の説明】
【００１６】
１０  容器本体
２０  蓋
２２  筆の柄
２４  筆
３０  補助室
３１  排出口
３２  補助キャップ
３３  突起
３４  弾性連結部
３５  折曲げ部
３６  連結部
３７  折曲げ部
ｆ  グリター粉
ｍ  マニキュア液
【図１】
0003109098.tif 000003
【図２】
0003109098.tif 000004